(57)【要約】【課題】ヒト以外の動物に病原体感染症をより確実に発症させるための手段を提供することを課題とする。【解決手段】感染症をヒト以外の動物に発症させるための病原体を腸溶性カプセル内に充填してなる動物用カプセル製剤により、上記の課題を解決する。【選択図】なし【特許請求の範囲】
【請求項１】
感染症をヒト以外の動物に発症させるための病原体を腸溶性カプセル内に充填してなることを特徴とする動物用カプセル製剤。
【請求項２】
前記ヒト以外の動物が家畜または家禽である請求項１に記載の動物用カプセル製剤。
【請求項３】
前記家畜がブタ、ウシ、ラットおよびイヌから選択される請求項２に記載の動物用カプセル製剤。
【請求項４】
前記腸溶性カプセルが、小腸および／または大腸で溶解するカプセルである請求項１〜３のいずれか１つに記載の動物用カプセル製剤。
【請求項５】
前記病原体が、病原体を含む液体の形態でカプセル内に充填されてなる請求項１〜４のいずれか１つに記載の動物用カプセル製剤。
【請求項６】
前記病原体が、固体の担体に保持された形態でカプセル内に充填されてなる請求項１〜４のいずれか１つに記載の動物用カプセル製剤。
【請求項７】
前記病原体が、動物に消化器疾患を発生させる病原体である請求項１〜６のいずれか１つに記載の動物用カプセル製剤。
【請求項８】
前記消化器疾患を発生させる病原体が、エシェリキア・コリ、ローソニア・イントラセルラーリス、ブラキスピラ・ハイオディセンティリ、クロストリディウム・パフリンジェス、カンピロバクター属菌、スタフィロコッカス・アウレウス、ビブリオ属菌およびサルモネラ属菌からなる群より選択される請求項７に記載の動物用カプセル製剤。
【請求項９】
前記病原体が、毒素産生エシェリキア・コリである請求項８に記載の動物用カプセル製剤。
【請求項１０】
前記病原体が、１カプセル当たり１×１０2ＣＦＵ〜１×１０13ＣＦＵ含まれてなる請求項８または９に記載の動物用カプセル製剤。
【請求項１１】
請求項１〜１０のいずれか１つに記載の動物用カプセル製剤をヒト以外の動物に投与することからなるヒト以外の動物に該病原体感染症を発症させる方法。
【請求項１２】
請求項１１に記載の方法により病原体感染症を発症したヒト以外の動物を用いて該病原体感染症の予防および／または治療剤を評価する方法。
【発明の詳細な説明】
【技術分野】
【０００１】
本発明は、ヒト以外の動物に病原体感染症を発症させるための動物用カプセル製剤、それを用いてヒト以外の動物に該病原体感染症を発症させる方法、ならびに該方法により発症したヒト以外の動物を用いる病原体感染症の予防および／または治療剤の評価方法に関する。
【背景技術】
【０００２】
近年、ベロ毒素産生大腸菌(ＶＴＥＣ)などの毒素産生病原菌を原因とする病原菌感染症がブタなどの家畜や家禽に多発している。例えばブタがＶＴＥＣに感染すると、ＶＴＥＣが腸で局所的に増殖して浮腫のような消化器疾患を引き起こすことが知られている。このような浮腫病の症状としては、眼周囲浮腫、神経失調、運動障害などが知られており、その他の臨床症状として下痢、食欲の低下、活力の低下、呼吸状態の変化、横臥などが知られている(非特許文献１、２および３)。近年、このブタ浮腫病に関しては、臨床現場では死亡率が２０％を超える養豚農家も存在し、その対処療法が少ないことから廃業する農家まで出てきている現状があり、重大な問題となっている。
【０００３】
このような病原菌感染症のメカニズムは解明されていない点が多く、例えばブタの浮腫病に対しては、ブタにアンピシリンやホスホマイシンなどの抗菌剤を投与して病原菌を死滅させることが試みられたが、死滅した病原菌が菌体外へ毒素を放出してブタの症状が重篤化する可能性が示唆されている(非特許文献４)。また、抗菌剤の投与により多剤耐性大腸菌が出現したことも報告されている(非特許文献５および６)。これらのことから、病原菌感染症といえども抗菌剤のみに頼ることができない現状があり、これら病原菌感染症の病因の解明や新たな予防および治療剤ならびに予防および治療方法の開発・研究が望まれている。
【０００４】
このような研究のためには、病原体感染症を発症した動物モデルを得ることが必要である。従来、動物に病原体感染症を発症させる方法としては、例えば病原菌を含む液をそのまま動物に経口投与するか、または胃内へカテーテルなどにより投与する方法が用いられていた。しかしながら、このような方法で病原菌を含む液をそのまま投与した動物での該感染症の発症率は約３０％であり(非特許文献２、３および７)、動物に感染症をより確実に発症させることが望まれていた。
【非特許文献１】Bertschinger, H. U. and Gyles, C. L. 1994. In: Escherichia coli in Domestic Animals (Gyles, C. L. ed.), CAB International, Wallingford.
【非特許文献２】Bosworth, B. T., Samuel, J. E., Moon, H. W., O'Brien, A. D., Gordon, V. M. and Whipp, S. C. 1996. Infect. Immun. 64: 55-60.
【非特許文献３】Matise, I., Cornick, N. A., Samuel, J. E. and Moon, H. W. 2003. Infect. Immun. 71: 5194-5201.
【非特許文献４】Uemura, R., Sueyoshi, M., Taura, Y. and Nagatomo, H. 2004. J. Vet. Med. Sci. 66: 899-903.
【非特許文献５】Fukuyama, M., Furuhata, K., Oonaka, K., Yakiwara, R., Koizumi, T., Hara, M., Dogasaki, C. and Watanabe, T. 2003. Kansensyogaku-Zasshi 77: 1032-1039
【非特許文献６】Uemura, R., Sueyoshi, M., Nagayoshi, M. and Nagatomo, H. 2003. Microbiol. Immunol. 47: 57-61.
【非特許文献７】Cornick, N. A., Matise, I., Samuel, J. E., Bosworth, B. T. and Moon, H. W. 2000. J. Infect. Dis. 181: 242-251.
【発明の開示】
【発明が解決しようとする課題】
【０００５】
上記のような現状に鑑み、本発明は、ヒト以外の動物により確実に病原体感染症を発症させるための手段を提供することを課題とする。
【課題を解決するための手段】
【０００６】
本発明の課題は、感染症をヒト以外の動物に発症させるための病原体を腸溶性カプセル内に充填してなる動物用カプセル製剤である。
本発明の課題は、上記の動物用カプセル製剤をヒト以外の動物に投与することからなる、ヒト以外の動物に該病原体感染症を発症させる方法である。
さらに本発明の課題は、上記の方法により感染症を発症したヒト以外の動物を用いて、該病原体感染症の予防および／または治療剤を評価する方法でもある。
【発明の効果】
【０００７】
本発明により、ヒト以外の動物に病原体感染症を発症させることができる。従来、感染症をヒト以外の動物に発症させるために腸溶性カプセルに病原体を充填してヒト以外の動物に投与した例はなく、このような投与によるヒト以外の動物の感染症の発症に関する知見も得られていなかった。本発明により得られる動物を実験モデルとして用いることにより、病原体感染症の病因の解明や予防および／または治療方法ならびに予防および／または治療剤の開発を行うことが可能になる。また、該動物がブタである場合、ヒトに感染する病原体と同じ病原体に感染させたブタを用いることにより、ヒトの病原体感染症のメカニズムの解明、該感染症の予防および／または治療方法、ならびに該感染症の予防および／または治療剤を開発することも可能になる。
【発明を実施するための最良の形態】
【０００８】
本発明の動物用カプセル製剤は、ヒト以外の動物に感染症を発症させるための病原体を含む。本明細書における「ヒト以外の動物」とは、ヒトを除くいずれの動物であってもよく、例えば哺乳類、鳥類などを含み、なかでも家畜または家禽が好ましい。家畜としては、人間に飼育される動物であれば特に限定されないが、ブタ、ウシ、ウマ、イヌ、ネコ、ウサギ、ラット、モルモット、マウスなどが挙げられる。より好ましくはブタ、ウシ、ラットおよびイヌである。家禽としてはニワトリ、アヒル、ウズラなどが挙げられる。
【０００９】
本発明の動物用カプセル製剤に用いられる腸溶性カプセルは、胃で溶解せずに小腸または大腸で溶解するように設計されたものである。したがって、本明細書において、「腸」という用語は、小腸および大腸の両方を含む。小腸は、十二指腸、空腸、回腸を含み、大腸は盲腸、結腸、直腸を含む。
該腸溶性カプセルは、腸溶性物質を溶媒に溶解して得られた腸溶性コーティング液を通常のカプセル皮膜の表面にコーティングする方法、または腸溶性物質を通常のカプセル基剤に混合してカプセルを形成する方法のように当該技術分野において公知の方法で製造することができる。なお、上記の「通常のカプセル」とは、腸溶性の性質を有さないカプセルのことであり、ゼラチン、セルロース類、でんぷんなどを基剤として得られるカプセルである。
該腸溶性カプセルは、ソフトカプセルまたはハードカプセルのいずれであってもよい。
【００１０】
小腸で溶解する腸溶性カプセルとしては、当該技術分野において一般に知られているものを用いることができる。例えば腸溶性コーティング液として、メタクリル酸コポリマー、ヒドロキシプロピルメチルセルロースフタレート、ヒドロキシプロピルメチルセルロースアセテートサクシネート、カルボキシメチルセルロース、セルロースアセテートフタレート、セラック、ゼインなどを用いて通常のカプセルに腸溶性コーティングを施したもの、腸溶性物質としてペクチン、アルギン酸、アルギン酸ナトリウム、カルボキシメチルセルロース、セルロースアセテートフタレートなどのセルロース類、メタクリル酸コポリマーなどを通常のカプセル基剤に混合してカプセルを形成したものなどが挙げられる。
【００１１】
大腸で溶解する腸溶性カプセルとしては、当該技術分野において一般に知られているものを用いることができる。例えばキトサンを基剤とするカプセルの表面に上記の腸溶性コーティングを施した腸溶性カプセル(特開平４−４１４２２号公報参照)、キトサンとシリカとの混合物から得られる腸溶性カプセル(特開平６−１７９６１８号公報参照)などが挙げられる。
【００１２】
本発明の動物用カプセル製剤に充填されるヒト以外の動物に感染症を発症させるための病原体としては、ヒト以外の動物に感染症を発症させるための細菌、ウイルス、原虫、寄生虫などが挙げられる。なかでも、動物に消化器疾患を発生させる病原体が好ましい。消化器疾患を発生させるウイルスとしては、例えばロタウイルス、コロナウイルス、アストロウイルス、エンテロウイルスなどが挙げられる。消化器疾患を発生させる原虫としては、例えばコクシジウム、クリプトスポリジウムなどが挙げられる。消化器疾患を発生させる寄生虫としては、鞭虫、回虫などが挙げられる。
【００１３】
上記の病原体としては、病原菌が好ましく、動物に消化器疾患を発生させる病原菌がより好ましい。動物に消化器疾患を発生させるそのような病原菌としては、エシェリキア・コリ(Escherichia coli)、ローソニア・イントラセルラーリス(Lowsonia intracerullaris)、ブラキスピラ・ハイオディセンティリ(Brachyspira hyodysenteriae)、クロストリディウム・パフリンジェス(Clostridium perfringens)、カンピロバクター(Campylobacter)属菌、スタフィロコッカス・アウレウス(Staphylococcus aureus)、ビブリオ(Vibrio)属菌およびサルモネラ・エンテリカ(Salmonella enterica)などのサルモネラ(Salmonella)属菌からなる群より選択される１種以上の菌が好ましく、なかでもエシェリキア・コリが好ましい。特に好ましいエシェリキア・コリとしては、易熱性毒素(ＬＴ)または耐熱性毒素(ＳＴ)を産生する毒素原性エシェリキア・コリが挙げられる。このような毒素原性エシェリキア・コリは、シガトキシンを含むベロ毒素(ＶＴ)を産生するものも含む。
本発明の動物用カプセル製剤の投与により、ヒト以外の動物に消化器疾患を発症させることができ、下痢などの臨床症状を観察することができる。
【００１４】
本発明の動物用カプセル製剤は、上記の病原体を、該病原体を含む液体の形態で腸溶性カプセルに充填するか、または該病原体を適切な固体の担体に保持させた形態で腸溶性カプセルに充填することにより得ることができる。上記の病原体を含む液体としては、病原体として病原菌を用いる場合、該病原菌を培養して得られた菌懸濁液をそのまままたは濃縮して用いることができ、菌懸濁液を濃縮したものを用いるのがより好ましい。菌懸濁液を濃縮する方法としては、該懸濁液を遠心分離して得られる沈殿物を用いる方法、菌懸濁液を凍結乾燥する方法など、従来公知の方法が挙げられる。
また、上記の固体の担体としては、医薬的に許容される担体であれば特に限定されないが、腸溶性物質である点で、ヒドロキシプロピルメチルセルロースフタレート、ヒドロキシプロピルメチルセルロースアセテートサクシネート、カルボキシメチルセルロース、セルロースアセテートフタレートなどのセルロース類が好ましい。
【００１５】
本発明の動物用カプセル製剤に充填される病原体の量は、動物に該病原体の感染症を発症させることができる程度であれば特に限定されず、投与する動物の体重、病原体の種類などに応じて適宜調節することができる。病原体として病原菌を用いる場合、病原体の量は、好ましくは１カプセル当たり１×１０2〜１×１０13ＣＦＵであり、より好ましくは１×１０7〜１×１０10ＣＦＵである。
【００１６】
本発明の動物用カプセル製剤をヒト以外の動物に投与することにより、ヒト以外の動物に該病原体感染症を高い確率で発症させることができる。本発明の動物用カプセル製剤をヒト以外の動物に投与することからなる該動物に病原体感染症を発症させる方法は、該動物用カプセル製剤を投与した動物に７０％以上、好ましくは９０％以上、より好ましくは１００％の発症率で、感染症を発症させることができる。
従来のヒト以外の動物に感染症を発症させる方法では、約３０％程度の動物にしか発症させることができなかったため、病原体感染症の予防および治療方法の確立のための研究においては、再現性のある実験を行うことができず、多くの動物を無駄に実験に供するなど、非効率的な作業を強いられてきた。このため、病原体感染症の予防および治療方法の開発・研究の分野での発展が阻害されてきた。これに対して本発明の方法は、従来の方法に比べてより高い確率で動物に感染症を発症させることができ、感染症を発症した動物モデルを安定的に得ることができるという優れた効果を有し、上記のような病原体感染症の予防および治療方法の開発・研究の分野での発展のために有用である。
【００１７】
ヒト以外の動物に病原体感染症を発症させる本発明の方法において、上記の動物用カプセル製剤の投与回数および投与量は、該動物に該病原体の感染症を発症させることができる程度であれば特に限定されず、投与する動物の体重、病原体の種類およびその量などに応じて適宜調節することができる。例えば、１カプセル当たり１×１０2ＣＦＵ〜１×１０13ＣＦＵのＶＴ産生エシェリキア・コリを充填した動物用カプセル製剤を１日当たり１〜２回、１〜５日程度投与することにより、ブタにＶＴ産生エシェリキア・コリ感染症を発症させることができる。
【００１８】
本発明の方法により感染症を発症したヒト以外の動物は、上記のように、感染症を発症した動物モデルとして、該感染症の病因および症状の研究、該感染症の予防および／または治療剤の評価ならびに予防および／または治療方法の研究や開発に有用である。
【００１９】
本発明の方法により感染症を発症したヒト以外の動物を用いて病原体感染症の予防および／または治療剤を評価する方法も、本発明の課題の一つである。この方法は、例えば、病原体感染症の予防および／または治療剤の候補品を、本発明の方法により発症したヒト以外の動物に投与して、該薬剤の予防および／または治療効果を評価することにより行われる。また、該病原体感染症の予防および／または治療剤を評価する方法は、例えば、病原体感染症の予防および／または治療剤の候補品を、本発明のカプセル製剤とともにヒト以外の動物に投与し、本発明の方法により発症したが該薬剤を投与していない対照の動物の状態と比較して、該薬剤の予防および／または治療効果を評価することにより行なうこともできる。本発明の評価方法により、病原体感染症に対する予防および／または治療効果が優れた化合物を選定・開発することができる。
【実施例】
【００２０】
以下の実施例により、本発明をさらに詳細に説明するが、本発明はこれらの実施例に限定されるものではない。
実施例１〜３：動物用カプセル製剤の製造
病原体として以下の病原菌を用いて、毒素原性エシェリキア・コリを含む動物用カプセル製剤を製造した。
病原菌：ブタ由来ＶＴ産生エシェリキア・コリ(宮崎大学譲渡株)；菌株Ｎｏ．１３６２−１(４０日齢死亡ブタ由来)
血清型：Ｏ１３９；ｆｅｄＡ，＋
毒素：ｓｔｘ２ｅ(シガトキシン２ｅ)，＋；ＳＴ(耐熱性毒素)，＋；ＬＴ(易熱性毒素)，−
上記の病原菌を、ＴＳブロス培地(１０ｍＬ、Difco, Detroit, MI, USA)中に好気条件下、３７℃で４、６または８時間培養した。培養終了後、培養液を遠心分離(３０００ｒｐｍ、１５分間)し、病原菌をペレット(約０．５ｍＬ)として得た。これを、１カプセル当たり３．９×１０8ＣＦＵ(実施例１)、５．３×１０9ＣＦＵ(実施例２)または１．０×１０10ＣＦＵ(実施例３)となるように、小腸で溶解する腸溶性カプセル(三生医薬社製)に充填して、動物用カプセル製剤を得た。
【００２１】
試験例１および２
一般的な畜産農家から購入した交雑種仔豚(２１日齢；雄、雌各２頭の合計４頭)を、コンクリート床製オガコ敷き小豚房に収容した。保温灯で温度管理した。飼料(ＳＤＳ  Ｎｏ．１、日本配合飼料株式会社製、抗生物質を含まない飼料)および施設馴化を４日間行った。試験開始第０日(２５日齢)、第１日(２６日齢)および第２日(２７日齢)の計３回、実施例１(試験例１)または２(試験例２)の動物用カプセル製剤を強制経口投与した。飼料および飲水は試験期間を通して自由摂取とした。観察期間は、カプセル製剤投与開始から最長１４日間とし、試験開始第７日と第１４日に、それぞれ１頭ずつ下記の方法に従って剖検を行った。試験期間中は毎日臨床的な観察(元気、食欲、呼吸状態、眼周囲浮腫、耳・腹部充血、糞便性状、姿勢、神経症状、糞便酸性臭)を行った。試験開始第０、１、７および１４日に直腸便スワブを採取した。また，試験開始時および剖検時に採血と体重測定を行った。
【００２２】
剖検
ケタラール(ケタミン塩酸塩、三共株式会社製)およびストレスニル(アゼペロン、三共株式会社製)をブタの筋肉内に注射後、放血致死させた。開腹後、消化管(胃、空腸、回腸、回盲部、盲腸および結腸)、腎臓、肝臓、肺および腸間膜リンパ節を採取して１０％中性緩衝ホルマリンで固定した。常法により薄切し、ＨＥ染色した後、各臓器または組織の異常を光学顕微鏡下で観察した。
【００２３】
ＶＴＥＣ産生大腸菌の分離
糞便スワブならびに剖検時の回腸、盲腸および結腸の内容物を段階希釈した後、ＤＨＬ寒天平板(日水製薬株式会社製)に塗抹した。発育したコロニーを、ヒツジの脱フィブリン血(５％(ｖ／ｖ))含有Heart Infusion寒天平板に画線塗抹して、３７℃で１８または２４時間培養して溶血性の有無を確認した。最高希釈倍率で発育したコロニーの中から代表３菌株について、ＶＴＥＣ遺伝子発現の有無をＰＣＲを用いて確認した。ＰＣＲ条件は、Blanco, M.ら、1997. J. Clin. Microbiol. 35: 2958-2963およびJohnson, W. M.ら、1990. J. Clin. Microbiol. 28: 2351-2353の方法に準拠した。
【００２４】
結果
試験期間中を通して死亡例は認められなかった。試験例１および２のブタの臨床症状の観察結果を表１に示す。
【００２５】
【表１】
2007060963.tif 000002
【００２６】
試験例１のブタは、中程度の下痢などの臨床症状を示したが、食欲はそれほど低下しなかった。試験例２のブタは、下痢の症状を示さなかったが、眼周囲浮腫を示した。食欲はそれほど低下しなかった。
また、試験例１のブタの直腸便スワブから検出されたＶＴ産生大腸菌数と試験第７日に空腸、回腸および盲腸から検出されたＶＴ産生大腸菌数を表２に示す。
【００２７】
【表２】
2007060963.tif 000003
【００２８】
小腸の病理組織学的検査結果を表３に示す。
【００２９】
【表３】
2007060963.tif 000004
【００３０】
以上の結果から、試験例１および２のブタは、消化器疾患である小腸の浮腫が認められ、これらのブタがいずれも病原菌に感染し、疾病が発症したことが確認できた。
【００３１】
試験例３
一般的な畜産農家から購入した交雑種仔豚(２１日齢、３頭)を、コンクリート床製オガコ敷き小豚房に収容した。保温灯で温度管理した。飼料(ＳＤＳ  Ｎｏ．１)および施設馴化を４日間行った。試験開始第０日(２５日齢)および第２日(２７日齢)の計２回、実施例３の動物用カプセル製剤を強制経口投与した。飼料および飲水は試験期間を通して自由摂取とした。観察期間はカプセル製剤投与開始から最長２８日間とし、試験開始第７日、第１４日および第２８日にそれぞれ１頭ずつ剖検を行った。試験期間中は毎日臨床的な観察(元気、食欲、呼吸状態、眼周囲浮腫、耳・腹部充血、糞便性状、姿勢、神経症状)を行った。試験開始第０、１、７、１４および２８日に直腸便スワブを採取した。また，試験開始時および剖検時に採血と体重測定を行った。
【００３２】
剖検
試験例１と同様の方法で剖検を行なった。観察した器官および組織は、消化管(胃、空腸、回腸、回盲部、盲腸および結腸)、脳、腎臓、副腎、肝臓、心臓、肺、腸間膜リンパ節、鼠頸部リンパ節、脾臓および膵臓であった。
ＶＴＥＣ産生大腸菌の分離
試験例１と同様の方法で行った。
【００３３】
結果
試験期間中を通して死亡例は認められなかった。ブタの臨床症状の観察結果を表４に示す。
【００３４】
【表４】
2007060963.tif 000005
【００３５】
本試験例では、カプセル製剤の投与翌日から３頭とも激しい下痢症状を呈し、飼料摂取量が減退した。
本試験例のブタの直腸便スワブから検出されたＶＴ産生大腸菌数と試験第７日に空腸、回腸および盲腸から検出されたＶＴ産生大腸菌数を表５に示す。
【００３６】
【表５】
2007060963.tif 000006
【００３７】
小腸の病理組織学的検査結果を表６に示す。
【００３８】
【表６】
2007060963.tif 000007
【００３９】
また、試験開始第７日に剖検したブタの回腸の組織および試験開始第１４日に剖検したブタの回腸の組織をそれぞれヘマトキシリンエオジン染色して光学顕微鏡により観察した。これらのブタと同日齢の健康なブタの回腸の組織を同様にして染色して比較した結果を図１および２に示す。図１：ブタ回腸粘膜の光学顕微鏡写真(倍率：１００倍)：(ａ) 試験開始第７日(３２日齢)で剖検した本試験例のブタの回腸粘膜；(ｂ) ３２日齢の健康なブタの回腸粘膜。この図から、本試験例のブタの間質に浮腫が認められることがわかる。図２：ブタの回腸の光学顕微鏡写真(倍率：４０倍)：(ａ) 試験開始第１４日(３９日齢)で剖検した本試験例のブタの回腸；(ｂ) ３９日齢の健康なブタの回腸。この図から、本試験例のブタのリンパ濾胞が肥大していることがわかる。
以上の結果から明らかなように、本試験例のブタも病原菌に感染し、疾病が発症したことが確認できた。
【００４０】
実施例４
実施例１と同様にして、大腸において感染する病原菌、ブラキスピラ・ハイオディセンティリを大腸で溶解する腸溶性カプセルに充填して動物用カプセル製剤を得、これをブタに投与することにより、ブタを大腸で感染する病原菌に感染させることができる。
【００４１】
試験例４  感染症の予防および／または治療剤の開発
一般的な畜産農家から購入した交雑種仔豚(２１日齢；雄５頭、雌１０頭の合計１５頭)の体重を測定し、体重が均一になるように配慮して３頭ずつ５群に分けた。コンクリート床製オガコ敷き小豚房に収容した。保温灯で温度管理した。試験開始第０日から４日間、飼料(ＳＤＳ  Ｎｏ．１)に、感染症の予防および／または治療剤の候補品としてエンテロコッカス・フェカリス(Enterococcus faecalis)ＥＣ−１２株の菌体製剤(コンビ株式会社製)を、菌体の量が表７に示す量となるように混合して与えた。試験開始第４日(２５日齢)、第５日(２６日齢)および第６日(２７日齢)の計３回、実施例１のカプセル製剤を強制経口投与した。なお、カプセル製剤を投与しない第５群の豚には、カプセル製剤の代わりに生理食塩水を与えた。飼料および飲水は試験期間を通して自由摂取とした。観察期間は試験開始第０日から第１１日までとし、第１１日に剖検を行なった。カプセル製剤の投与後も、エンテロコッカス・フェカリスＥＣ−１２株の菌体製剤を混合した飼料を与えた。試験期間中は毎日臨床的な観察(元気、食欲、呼吸状態、眼周囲浮腫、糞便性状)を行った。試験開始第４、７および１１日に糞便を採取した。採取困難な場合には糞便スワブを採取した。試験開始第０、４および１１日に体重ならびに飼料摂取量を測定した。第１１日に、試験例１と同様にして剖検を行なった。
【００４２】
【表７】
2007060963.tif 000008
【００４３】
結果
１〜５群のブタの臨床観察の平均のスコアを表８に示す。
【表８】
2007060963.tif 000009
【００４４】
また、試験開始第０、４および１１日に測定した体重および飼料摂取量から、飼料要求率を算出した。結果を表９に示す。
【表９】
2007060963.tif 000010
【００４５】
以上の結果から、本発明のカプセル製剤を投与して病原菌に感染させたブタの群(第１群)での状態と、該病原菌感染症の予防および／または治療剤の候補品としてのエンテロコッカス・フェカリスＥＣ−１２株の菌体製剤を本発明のカプセル製剤とともに投与したブタの群(第２、３および４群)での状態とを比較することにより、エンテロコッカス・フェカリスＥＣ−１２株の菌体製剤の感染症の予防および／または治療剤としての効果を評価することができた。
【産業上の利用可能性】
【００４６】
本発明により、簡便かつより確実にヒト以外の動物を病原体に感染させることができ、このようにして発症したヒト以外の動物を、感染症の研究や感染症の予防および／または治療剤の開発に有利に用いることができる。
【図面の簡単な説明】
【００４７】
【図１】ブタ回腸粘膜の光学顕微鏡写真(倍率：１００倍)：(ａ) 試験開始第７日(３２日齢)で剖検した試験例３のブタの回腸粘膜；(ｂ) ３２日齢の健康なブタの回腸粘膜。
【図２】ブタの回腸の光学顕微鏡写真(倍率：４０倍)：(ａ) 試験開始第１４日(３９日齢)で剖検した試験例３のブタの回腸；(ｂ) ３９日齢の健康なブタの回腸。
【図１】
2007060963.tif 000011
【図２】
2007060963.tif 000012